【事件の表示】
　特願２００５−１８０４２０「ディスク回転装置」拒絶査定不服審判事件〔平成１７年１０月１３日出願公開、特開２００５−２８５３２２〕について、次のとおり審決する。
【結　論】
　本件審判の請求は、成り立たない。
【理　由】
１．手続の経緯、本願発明
　
　本願は、平成５年９月２０日に出願した特願平５−２３３０７９号の一部を平成１４年１月９日に新たな特許出願とした特願２００２−２５５４号の一部をさらに平成１７年６月２１日に新たな特許出願としたものであって、その請求項１に係る発明は、平成１７年１１月１８日付けで手続補正された明細書の、特許請求の範囲の請求項１に記載された、次のとおりのものである（以下、「本願発明」という。）。
　
「【請求項１】
　カートリッジ内にクランピングプレートを介して回転自在に収納されているディスクが載置されると共に、駆動部によって回転操作され且つマグネットチャッキング機構を有するディスクテーブルと、
　前記駆動部から突出し前記ディスクテーブルの中心部に挿通され且つ前記クランピングプレートよりも先端が突出する駆動軸とを備え、
　前記マグネットチャッキング機構により前記クランピングプレートが吸着支持されたときに、前記駆動軸の先端が前記クランピングプレートから所定長さ突出するように構成し、前記カートリッジが変形していても、前記駆動軸の先端が当該カートリッジに点接触することにより、当該カートリッジが前記クランピングプレートから隔離された状態に維持されることを特徴とするディスク回転装置。」
　
　ここで、本願の優先権主張（平成４年９月２４日、特願平４−２５４５４９号（以下、「優先権基礎出願」という。）について検討すると、本願発明には、以下の理由により、優先権主張の効果が及ばない。
　
〔本願発明に優先権主張の効果が及ばない理由〕
　本願発明の構成要件のうち、「カートリッジ内にクランピングプレートを介して回転自在に収納されているディスク」、「マグネットチャッキング機構を有するディスクテーブル」、「クランピングプレートよりも先端が突出する駆動軸」、「マグネットチャッキング機構により前記クランピングプレートが吸着支持されたときに、前記駆動軸の先端が前記クランピングプレートから所定長さ突出する」及び「カートリッジが変形していても、前記駆動軸の先端が当該カートリッジに点接触することにより、当該カートリッジが前記クランピングプレートから隔離された状態に維持される」の各構成要件は、優先権基礎出願の出願当初明細書及び図面の記載にない事項であり、同記載からみて自明な事項でもない。
　すると、優先権基礎出願の出願当初明細書及び図面に、本願発明が記載されていたとすることができないから、本願発明には優先権主張の効果が及ばない。
　
　
２．引用例
　本願のそ及出願日前に頒布された刊行物で、原査定の拒絶の理由で引用された特開平４−３２１９６８号公報（以下、「引用例」という。）には、図面とともに次の技術事項が記載されている。
　
（ａ）「【００１３】
【実施例】以下、本発明の具体的な実施例を図面を参照しながら説明する。この例は、本発明に係るディスクドライブ装置を、光磁気ディスクがカートリッジに収納されて構成されたディスクカートリッジを用いて情報信号の記録及び／又は再生う行う装置である記録及び／又は再生装置の要部として用いられるように構成した例である。
【００１４】上記ディスクカートリッジは、図６及び図７に示すように、光磁気ディスク１０２をカートリッジ１０３に回転可能に収納して構成されている。上記光磁気ディスク１０２は、合成樹脂等の透明材料からなるディスク基板と、このディスク基板の一方の主面部に被着形成された磁性材料からなる信号記録層とを有して、円盤状に構成されている。そして、このディスク１０２の中央部には、後述するように、このディスク１０２が本発明に係るディスクドライブ装置のディスクテーブル２３に保持されるためのディスクハブ１０５が設けられている。このディスクハブ１０５は、金属等の磁性材料により略々円盤状に提携形成され、上記ディスク１０２に対し略々同心状となされて、該ディスク１０２に接着や熔着等の手段により取付けられている。このディスクハブ１０５の中心部には、上記信号記録層上に略々同心円状となされて螺旋状に形成される記録トラックの曲率中心に中心を一致させたセンターホール１０６が穿設されている。
【００１５】上記カートリッジ１０３は、対をなす上下ハーフ１０３ａ，１０３ｂが互いに突き合わせ結合されることにより、上記ディスク１０２を収納し得る薄い筺体状に構成されている。」
　
（ｂ）「【００２０】そして、本発明に係るディスクドライブ装置は、図１乃至図４に示すように、シャーシ１を有して構成される。このシャーシ１上には、上記ディスクカートリッジ１０１のディスク１０２を回転操作するための回転駆動手段を構成するスピンドルモータ２０が配設されている。このスピンドルモータ２０は、図５に示すように、モータ取付け板２０ａを介して、上記回転駆動手段を構成する昇降ブロック１８に取付けられている。そして、この昇降ブロック１８は、滑り軸受けが設けられた複数のシャフト挿通孔３３，３３を有しており、このシャフト挿通孔３３，３３に上記シャーシ１に植立された複数のモータガイドシャフト１９，１９を挿通させることにより、図１中矢印Ｌで示すように、これらモータガイドシャフト１９，１９に沿って、上記シャーシ１に対する接離方向に移動可能に支持されている。すなわち、上記スピンドルモータ２０は、上記シャーシ１に対する接離方向に移動可能となされている。このスピンドルモータ２０は、駆動軸と一体のスピンドル軸２４を上記シャーシ１に対して略々垂直となして支持されている。このスピンドル軸２４は、先端側を上記シャーシ１の上方側に向けている。」
　
（ｃ）「【００３５】そして、上記ディスクカートリッジ１０１が所定の挿入完了位置まで挿入操作されると、上記ディスクテーブル２３と上記ディスクハブ１０５とが略々同軸状となされて相対向する状態となる。このとき、上記ディスクカートリッジ１０１が上記挿入完了位置まで装着されたことが、図示しない検出装置により検出され、この検出を示す検出信号が上記記録及び／又は再生装置の制御装置に送られる。すると、上記制御装置は、上記昇降モータ３５を駆動させる。この昇降モータ３５の駆動により、上記減速ギヤ３４を介して上記カムギヤ３７が回転操作され、図４中矢印Ｌでに示すように、上記昇降ブロック１８が、上記シャーシ１より離間する上方側に移動操作される。そして、上記昇降ブロック１８が所定のローディング位置まで上昇操作されると、図４及び図５に示すように、上記ディスク１０２のディスクハブ１０５が上記ディスクテーブル２３上に載置されるとともに、上記カートリッジ１０３が上記カートリッジ位置決め部材２１上に載置される。このとき、上記スピンドル軸２４の先端側は、上記センターホール１０６に嵌入されている。また、このとき、上記カートリッジ１０３は、上記位置決め当接凹部１０７を上記カートリッジ位置決め部材２１の各当接突起２２，２２に当接させている。
【００３６】上記カートリッジ１０３は、このように上記カートリッジ位置決め部材２１上に載置されることにより、上記各カートリッジ押圧バネ部９，１０，１１，１２の付勢力に抗して、上記各カートリッジガイド片７，８より離間される。また、上記ディスク１０２は、このように上記ディスクテーブル２３上に上記ディスクハブ１０５を載置させることにより、上記カートリッジ１０３の内壁部より離間される。上記ディスク１０２は、上記ディスクテーブル２３の上面部と上記カートリッジ位置決め部材２１の各当接突起２２，２２の突端部との距離は常に一定であるため、上記カートリッジ１０３内において、このカートリッジ１０３に対する一定の位置に保持される。また、上記ディスクハブ１０５は、上記マグネット２５による吸引力によって、上記ディスクテーブル２３に対して圧接して保持されている。
【００３７】この状態において、上記スピンドルモータ２０が駆動されると、上記ディスク１０２は、上記ディスクテーブル２３とともに、回転操作される。」
　
（ｄ）図６、７には、ディスクハブ１０５を備えたディスク１０２をカートリッジ１０３に内蔵したディスクカートリッジ１０１が示されている。また、図５を参照すると、ディスク１０２のディスクハブ１０５がディスクテーブル２３上に載置された状態で、先端が球状に形成されたスピンドル軸２４がディスクから突出する構成が示されている。
　
　上記記載事項及び図面を総合勘案すると、上記引用例には、次の発明が記載されている（以下、「引用発明」という。）。
「光磁気ディスクをカートリッジに回転可能に収納したディスクカートリッジを用いて情報信号の記録及び又は再生を行うディスクドライブ装置において、
　前記ディスクの中央部には、前記ディスクがディスクドライブ装置のディスクテーブルに保持されるためのディスクハブが設けられ、
　前記ディスクハブは、金属等の磁性材料により略々円盤状に形成され、中心部にはセンターホールが穿設され、
　前記ディスクを回転操作するための回転駆動手段を構成するスピンドルモータが、駆動軸と一体のスピンドル軸をシャーシに対して略々垂直となして支持され、
　前記ディスクの前記ディスクハブが前記ディスクテーブル上に載置されるとともに、前記カートリッジが前記カートリッジ位置決め部材上に載置され、スピンドル軸の球状に形成された先端側は、前記センターホールに嵌入され、
　前記ディスクは、前記ディスクテーブル上に前記ディスクハブを載置させることにより、前記カートリッジの内壁部より離間され、
　前記ディスクハブは、マグネットによる吸引力によって、前記ディスクテーブルに対して圧接して保持され、前記スピンドルモータが駆動されると、前記ディスクは、前記ディスクテーブルとともに、回転操作され、
　前記ディスクのディスクハブがディスクテーブル上に載置された状態で、スピンドル軸がディスクから突出するように構成された、
　ディスクドライブ装置。」
  
　
３．対　比
　本願発明と引用発明とを対比する。
　引用発明の「光磁気ディスク」は、本願発明の「ディスク」と、ディスクである点で共通する。
　引用発明の「ディスクハブ」は、「ディスクの中央部に」「設けられ」、「金属等の磁性材料により」「形成され」、「センターホールが穿設され」、「ディスクテーブル上に載置され」、「マグネットによる吸引力によって、前記ディスクテーブルに対して圧接して保持され」るものであるから、本願発明の「クランピングプレート」と比較して、ディスクが「クランピングプレートを介して回転自在に収納されている」点、「吸着支持され」る点で一致する。
　引用発明の「ディスクテーブル」 は、「マグネットによる吸引力によって」、ディスクが「圧接して保持され」「スピンドルモータが駆動されると、前記ディスクは、前記ディスクテーブルとともに、回転操作される」ものであるから、本願発明の「ディスクテーブル」と比較して、「ディスクが載置され」、「駆動部によって回転操作され且つマグネットチャッキング機構を有する」点で一致する。
　引用発明において「前記ディスクは、前記ディスクテーブル上に前記ディスクハブを載置させることにより、前記カートリッジの内壁部より離間され」ることは、本願発明において「カートリッジが前記クランピングプレート（を介するディスク）から隔離された状態」と一致する。
　引用発明において、「ディスクのディスクハブがディスクテーブル上に載置された状態で、スピンドル軸がディスクから突出する」ことは、本願発明の「前記駆動部から突出し前記ディスクテーブルの中心部に挿通され且つ前記クランピングプレート（を介するディスク）よりも先端が突出する駆動軸とを備え、
　前記マグネットチャッキング機構により前記クランピングプレートが吸着支持されたときに、前記駆動軸の先端が前記クランピングプレート（を介するディスク）から所定長さ突出するように構成し」と一致する。
　引用発明の「ディスクドライブ装置」は、本願発明の「ディスク回転装置」に相当する。
　
　以上のことからすると、本願発明と引用発明とは次の点で一致する。
　一致点
「カートリッジ内にクランピングプレートを介して回転自在に収納されているディスクが載置されると共に、駆動部によって回転操作され且つマグネットチャッキング機構を有するディスクテーブルと、
　前記駆動部から突出し前記ディスクテーブルの中心部に挿通され且つ前記クランピングプレート（を介するディスク）よりも先端が突出する駆動軸とを備え、
　前記マグネットチャッキング機構により前記クランピングプレートが吸着支持されたときに、前記駆動軸の先端が前記クランピングプレート（を介するディスク）から所定長さ突出するように構成し、当該カートリッジが前記クランピングプレート（を介するディスク）から隔離された状態に維持されることを特徴とするディスク回転装置。」
　
　一方、次の各相違点で相違する。　
相違点１
　本願発明のディスク回転装置においては、駆動軸の先端が「クランピングプレート」よりも突出するのに対し、引用発明ではスピンドル軸は、ディスクから突出するものである点。
＜相違点２＞
　本願発明のディスク回転装置においては、カートリッジは、クランピングプレートから隔離された状態に維持されるのに対し、引用発明では、ディスクがカートリッジの内壁部より離間されるものである点。
＜相違点３＞
　本願発明のディスク回転装置においては、「カートリッジが変形していても、前記駆動軸の先端が当該カートリッジに点接触することにより」当該カートリッジが前記クランピングプレートから隔離された状態に維持されるのに対し、引用発明においては、そのような事項について特段の言及がない点。
　
　
４．判　断
（１）相違点１及び２について
　相違点１及び２をまとめて検討する。
　ディスクから突出するスピンドル軸が、「クランピングプレート」よりも突出するように構成することは、例えば特開昭６１−１７２２６９号公報（以下、「周知例１」という。）に記載されたディスク駆動装置のモータ軸１が、マグネット９に吸着されて回転駆動される点でクランピングプレートと共通する「芯金８」から突出する構造、また、特開平５−１２８７７６号公報（以下、「周知例２」という。）に記載された光ディスクのドライブ装置において、ディスクテーブル５に形成されたセンタリングピン９が、マグネット６に吸着されて回転駆動される点で同じくクランピングプレートと共通する「チャッキングハブ２」から突出する構造等にて周知の事項にすぎないものである。
　さらに、前記周知例１では、モータ軸１が「芯金８」から突出することにより、芯金は、少なくとも上ハーフ１２Ａからは隔離された状態に保たれることが明らかである。
　すると、以上のような周知の芯金またはチャッキングハブの構造を引用発明のディスクに採用することにより、引用発明において、駆動軸の先端がディスクハブよりも突出し、ディスクハブがカートリッジから隔離されるようにすることは当業者が容易に想到しうるものである。
　
（２）相違点３について
　引用発明において、先端が球状に形成されたスピンドル軸がディスクから突出した状態で、ディスクは、前記ディスクテーブル２３上に前記ディスクハブ１０５を載置させることにより、前記カートリッジ１０３の内壁部より離間された位置関係にある以上、カートリッジが内側に反るように変形した場合であっても、ディスクドライブ装置に装填され、ディスクテーブル２３上に前記ディスクハブ１０５を載置したときには、変形したカセットの内側部分がスピンドル軸に押し上げられて、スピンドル軸の球状の先端部分がカートリッジに点接触するとともに、スピンドル軸がディスクから突出する高さの分だけディスクとカートリッジとは離間された状態に保たれることが明らかである。
　同様に、前記周知例１の第１図を参照すると、モータ軸１の先端が球状に形成され、磁気シート１３、芯金８から突出してカセット１２の上ハーフ１２Ａに点接触するか、乃至は極めて近接した位置関係にある状態が示されている。カセットとモータ軸先端がこのような位置関係にある以上、カセットが変形して内側に反っても、ディスク駆動装置に装填されたときには、結局、変形したカセットの内側部分がモータ軸に押し上げられて第１図のような状態となり、その場合にはカセットの上ハーフ１２Ａはモータ軸１の先端がカセット１２の上ハーフ１２Ａに点接触して、芯金８から離隔された状態に保たれることが明らかである。
　また、特開平１−４６２５５号公報（以下、「周知例３」という）にも、カートリッジ３に収納されたディスク４が、駆動装置１９により回転駆動される構造が開示されている。第１図を参照すると、スピンドル２３の先端は、ディスク４のセンターコア８に形成された中心孔７から突出してカートリッジの上ハーフ１の内面に接触するか、乃至は極めて近接した位置関係にある状態が示されている。カートリッジとスピンドル先端がこのような位置関係にある以上、カートリッジが変形して内側に反っても、駆動装置に装填されたときには、結局、変形したカートリッジの内側部分がスピンドルに押し上げられて第１図のような状態となり、その場合にはカートリッジの上ハーフ１はスピンドルの先端がカートリッジの上ハーフ１に接触して、センターコア８から離隔された状態に保たれることが明らかである。
　このような周知事項を参照すると、引用発明において、「カートリッジが変形していても、前記駆動軸の先端が当該カートリッジに点接触することにより」当該カートリッジが前記クランピングプレートから隔離された状態に維持されることは、引用発明自体から自明な事項にすぎないか、又は、周知例を参照して、突出量を、カートリッジハーフの内面に近接する程度に設定することにより自ずと達成される程度の作用を記載したにすぎないものであるから、当業者が容易に想到しうるものである。
　
　以上のとおりであるから、上記各相違点は格別なものではなく、本願発明の奏する作用効果も当業者が予測しうるものにすぎない。
　
　
５．むすび
　以上のとおり、本願の請求項１に係る発明は、引用発明及び周知事項に基づいて当業者が容易に発明をすることができたものであるから、特許法第２９条第２項の規定により特許を受けることができない。
　したがって、本願は拒絶すべきものである。
　
　よって、結論のとおり審決する。